(57)【特許請求の範囲】
【請求項１】
外気の吸込口及び吹出口を有する筐体内に、熱交換手段と、前記吸込口から外気を吸引し、除湿された空気を前記吹出口から吹出す送風手段と、前記熱交換手段に付着して落下する水の排水手段と、該排水手段からの水を溜める排水容器とを備え、該排水手段にホースを接続し水を前記排水容器に溜めずに筐体外に排出することが可能な除湿機において、
前記筐体に前記排水容器を出し入れする出し入れ口を設け、前記排水容器を本体部と前面パネルとによって構成し、該前面パネルは前記排水容器の出し入れ口を閉塞する大きさに形成すると共に上部が開口する前記ホースのホース挿通口を設け、該ホース挿通口をカバー体により開閉可能に構成すると共に、前記排水手段の前記ホースが接続される排水口を前記排水容器の出し入れ方向に開口したことを特徴とする除湿機。
【請求項２】
前記カバー体を、前記ホース挿通口に着脱可能に形成したことを特徴とする請求項１記載の除湿機。
【請求項３】
前記排水容器の前面パネルの背面側に、前記カバー体を収納するカバー体収納部を設けたことを特徴とする請求項２記載の除湿機。
【請求項４】
前記カバー体を、上部両側に設けた支持軸を前記ホース挿通口の上部両側に設けた嵌合穴に嵌合して回動自在に形成したことを特徴とする請求項１記載の除湿機。
【請求項５】
前記排水手段の下端部にＬ字状の配水管を連結し、その排水口を前記排水容器の出し入れ方向に開口したことを特徴とする請求項１〜４のいずれかに記載の除湿機。
【請求項６】
前記排水手段の下端部に連結した配水管を回動可能に構成したことを特徴とする請求項５記載の除湿機。
【請求項７】
前記排水手段の排水口にホースの一端を接続し、該ホースの他端を前記排水容器の前面パネルのホース挿通口に挿通して引き出したことを特徴とする請求項１〜６のいずれかに記載の除湿機。
【発明の詳細な説明】
【技術分野】
【０００１】
本発明は、室内の湿気を除去して快適な室内環境を生成するための除湿機に関するものである。
【背景技術】
【０００２】
従来の除湿機に、キャビネット内に隔壁を介して外気の冷却除湿及び再熱を行う除湿室と、除湿空気及び外気の混合を行う混合室とが設けられ、隔壁に除湿室と混合室とを連通させる連通口が形成され、除湿室に外気の吸込口が形成されると共に、除湿室内に吸込んだ外気を冷却器及び放熱器を通過させたのち連通口から混合室に送り出す送風機を具備し、混合室に外気の吸込口及び除湿空気と外気との混合空気の吹出口が形成されると共に、混合室に吸込んだ外気を除湿空気と混合したのち混合空気吹出口から吹出す送風機を具備したものがある。そして、冷却器（蒸発器）に付着し落下する水分は、その下方に設けた除湿水タンクに溜めるようになっている（例えば、特許文献１参照）。
【０００３】
【特許文献１】実用新案登録第２５４４４９６号公報（第２−３頁、図１−２）
【発明の開示】
【発明が解決しようとする課題】
【０００４】
特許文献１の除湿機においては、乾燥効率が向上するので、衣類や、床や、壁等からの水分の蒸発が促進されて乾燥時間が大幅に短縮されるとしている。
そして、除湿水タンク内に水が一杯溜ったときは、キャビネットから取出して水を棄て、再びキャビネット内にセットする。
ところで、このような除湿機においては、蒸発器（冷却器）に付着し落下する水を排水容器（除湿水タンク）に溜めないで、ドレンパイプ（ドレン排水口）にホースを接続して筐体外に連続して排出する場合が屡々ある。
【０００５】
従来の除湿機は、一般に、図１７〜図１９に示すように、筐体１０１内の下部に設けた仕切板１０２の下の前面側に前面開口部１０３を設け、その奥に排水容器収容部１０４を形成し、仕切板１０２から排水容器収容部１０４内にドレン排水口１０５を突出させる。そして、排水容器１１１を前面開口部１０３からドレン排水口１０５に臨ませて排水容器収容部１０４内に収容して、扉１０６を閉じるようになっている。なお、１０７は筐体１０１内に設置された蒸発器、１０８は筐体１０１の前面側に設けた外気吸込口、１０９は同じく上面側に設けた吹出口、１１０は操作部である。
【０００６】
このような除湿機において、蒸発器１０７から落下する水を筐体外に排出するためには、筐体１０１の背面板の排水容器収容部１０４の背面位置にホース挿通穴１１２を開口し、背面側からホース挿通穴１１２に挿通したホース１１３の一端をドレン排水口１０５に接続し、他端を筐体外に取出すようにしていた。
【０００７】
従来の除湿機は、蒸発器１０７に付着し落下する水を筐体外に排出するためには、ドレン排水口１０５にホース１１３を接続するために、筐体１０１の背面板をニッパー等で切除してほぼ円形のホース挿通穴１１２を設けなければならないので、きわめて面倒であるばかりでなく、ホース１１３による筐体外への排水を中止した場合は、ホース挿通穴１１２を塞ぐのが面倒で、若し他の部材で閉塞したことしても意匠上好ましくなかった。
また、ドレン排水口１０５にホース１１３の接続にあたっては、筐体１０１の背面側からホース挿通穴１１２に挿通したホースを、筐体１０１の前面開口部１０３から行わなければならないので、ホース１１３の接続作業がきわめて面倒であった。
【０００８】
本発明は、上記の課題を解決するためになされたもので、筐体自身になんら加工することがなく排水手段にホースを接続することができ、また、排水手段へのホースの接続作業が容易で、筐体の壁面から簡単にホースを取出すことができるばかりでなく、筐体外への排水を中止したときはホース挿通口を簡単に閉塞することができる、意匠的にも優れた除湿機を提供することを目的としたものである。
【課題を解決するための手段】
【０００９】
本発明に係る除湿機は、外気の吸込口及び吹出口を有する筐体内に、熱交換手段と、前記吸込口から外気を吸引し、除湿された空気を前記吹出口から吹出す送風手段と、前記熱交換手段に付着して落下する水の排水手段と、該排水手段からの水を溜める排水容器とを備え、該排水手段にホースを接続し水を前記排水容器に溜めずに筐体外に排出することが可能な除湿機において、前記筐体に前記排水容器を出し入れする出し入れ口を設け、前記排水容器を本体部と前面パネルとによって構成し、該前面パネルは前記排水容器の出し入れ口を閉塞する大きさに形成すると共に上部が開口する前記ホースのホース挿通口を設け、該ホース挿通口をカバー体により開閉可能に構成すると共に、前記排水手段の前記ホースが接続される排水口を前記排水容器の出し入れ方向に開口したものである。
【発明の効果】
【００１０】
本発明によれば、排水手段へのホースの接続作業が容易で、筐体自身になんら加工することなく筐体の側面又は背面から簡単にホースを取出すことができ、また、ホースによる排水を中止したときはホース挿通口を簡単に閉塞することのできる、意匠的にも優れた除湿機を得ることができる。
【発明を実施するための最良の形態】
【００１１】
［実施の形態１］
図１は本発明の実施の形態１に係る除湿機の縦断面図、図２は図１のＡ−Ａ断面図である。なお、以下の説明では、図の右側を前面側又は上流側といい、左側と後面側又は下流側という。
筐体１内の下部には第１の仕切板４が設けられており、第１の仕切板４と天板２との間には、前後方向の中間部より若干後面側に前後を仕切る隔壁５が設けられている。６は第１の仕切板４の上方において、隔壁５の上流側の一部を仕切る第２の仕切板、７は第２の仕切板６の上方に設けられ、前面板３と隔壁５を結ぶ第３の仕切板である。
【００１２】
前面板３の第２，第３の仕切板６，７の間には上部吸込口８ａが設けられ、また、第１，第２の仕切板４，６の間には下部吸込口８ｂが設けられており、両吸込口８ａ，８ｂの下流側には上部フィルタ９ａと下部フィルタ９ｂがそれぞれ配設されている。
１０は第１，第２の仕切板４，６の幅方向の中央部近傍に設けられて、第１，第２の仕切板４，６に開口する排水手段であるドレンパイプで、下部は後述の排水容器収容室１５内においてほぼＬ字に折曲げられて排水口１１が設けられており、排水口１１は後述の排水容器４０の引出し方向（図４，図８参照）に開口している。この場合、ドレンパイプ１０の下端部にＬ字状の配水管を接続してもよい。なお、第２の仕切板６はドレンパイプ１０の開口部に向ってほぼ漏斗状に傾斜している。
【００１３】
２１は第１の仕切板４の下部において一方の側に設置された圧縮機、２２は上部フィルタ９ａの下流側に配設された蒸発器、２３は下部フィルタ９ｂの下流側に配設された凝縮器である。
これら圧縮機２１、蒸発器２２、凝縮器２３は、図３に示すように、冷媒配管２４によりループ状に接続されており、凝縮器２３と蒸発器２２との間には減圧弁２５が接続され、圧縮機２１と凝縮器２３との間、減圧弁２５と蒸発器２２との間にはバイパス管２６が設けられて電磁弁２７が接続されて、これらにより冷媒サイクル手段２０が構成されている。
【００１４】
再び図１，図２において、蒸発器２２と凝縮器２３の両者に跨って隔壁５に設けた開口部５ａの下流側には送風手段である送風機２８が設けられており、この送風機２８は隔壁５の開口部５ａの上流側に設けた支持腕２９に取付けたモータ３０により回動駆動される。
そして、送風機２８の上部には、筐体１の天板２に設けた吹出口１２に連通する風路１３が形成されている。３１は風路１３に設けたヒータの如き加熱手段である。３２は天板２上の前面側に設けた操作部で、その下部には除湿機の運転を制御する制御部３３が配置されている。
【００１５】
４０は第１の仕切板４の下において、ドレンパイプ１０の排水口１１に臨んで配設され、蒸発器２２から落下する水を溜める排水容器で、図４に示すように、筐体１の一方の側壁の第１の仕切板４の下に開口する排水容器の出し入れ口である側面開口部１４から排水容器収容室１５に収容するようになっている。
この排水容器４０は、図４〜図８に示すように、箱状の本体部４１と、本体部４１の前面側に設けられた前面パネル４２と、本体部４１の上面開口部を開閉する蓋体５１とから構成されている。
【００１６】
前面パネル４２は、本体部４１の前面側より大きく、筐体１の側壁に設けられて排水容器４０を出し入れする側面開口部１４を閉塞する大きさに形成され、図６に示すように、上部に開口するほぼＵ字状のホース挿通口４３が設けられており、その内壁にはガイドリブ４４が突設されている。４５はホース挿通口４３に着脱可能に装着されるカバー体で、外周にはホース挿通口４３のガイドリブ４４に嵌合するＬ字状の嵌合部４６が設けられている。
【００１７】
４７は前面パネル４２の背面側に設けられ、カバー体４５を不使用時に収納するカバー体収納部で、ほぼ凹字状の保持体４８ａ，４８ｂが対向配置され、図７に示すように、カバー体４５の嵌合部４６が嵌入されて収納するようになっている。４９は前面パネル４２の下部に設けた手掛部、５０は前面パネル４２に設けられて内部の水の溜り状態を目視するための透明窓である。
【００１８】
蓋体５１の上面中央部には取っ手５２が設けられており、また、ドレンパイプ１０の排水口１１に対応してほぼ漏斗状の流水部５３が形成され、流水部５３の最低部には流水口５４が設けられている。なお、この蓋体５１は省略してもよい。
【００１９】
次に、上記のように構成した本実施の形態に係る除湿機の動作について、図１〜図４を参照して説明する。
先ず、図４に示すように、筐体１の側壁に設けた側面開口部１４から排水容器収容室１５内に排水容器４０を収容し、前面パネル４２により側面開口部１４を閉塞する。このとき、ホース挿通口４３にはカバー体４５が嵌合されて閉塞されている。なお、図示してないが、筐体１内に設けた電源回路は、コードにより商用電源に接続されている。
【００２０】
次に、操作部３２に設けた運転スイッチをＯＮすると、圧縮機２１がＯＮして電磁弁２７が閉じる。これにより、圧縮機２１が作動し、冷媒が圧縮されて高温、高圧となった冷媒が凝縮器２３に送られて放熱され、常温、高圧の冷媒となる。この冷媒は減圧器２５により減圧されて蒸発器２２に送られ、低温、定圧となった冷媒は圧縮機２１に送られ、以後この動作を繰り返す。
【００２１】
一方、運転スイッチをＯＮすることにより送風機２８が駆動され、上部吸込み口８ａから吸引された室内の空気（以下、外気という）は、上部フィルタ９ａにより清浄化されて蒸発器２２により露点以下に冷却されると共に除湿され、矢印で示すように、風路１３を経て吹出し口１２から室内に吹出す。この間、蒸発器２２のフインの間に水分が付着し、その一部は図８に示すように、ドレンパイプ１０の排水口１１から排水容器４０内に落下し、溜められる。
【００２２】
また、下部吸込み口８ｂから吸引された外気は、下部フィルタ９ｂにより清浄化されて凝縮器２３の放熱により温風となり、矢印で示すように、風路１３を経て吹出し口１２から室内に吹き出す。なお、必要に応じて加熱手段３１に通電し、風路１３を通る温風をさらに加熱してもよい。
これにより、除湿されかつ冷却された空気と温風が吹出口１２から吹出し、室内の空気を除湿する。なお、吹出口１２の上方に、例えば洗濯物の如き被乾燥物を吊しておけば、これを乾燥することができる。
【００２３】
この場合、除湿機の運転中あるいは適宜、排水容器４０の前面パネル４２に設けた透明窓５０から排水容器４０内を目視し、水が一杯になったときは排水容器４０を側面開口部１４から引出して水を棄て、再び側面開口部１４から排水容器収容室１５に収容してセットする。なお、例えば、排水容器４０内に水位センサを設けると共に、操作部３２に排水容器４０内の水の状態を表示する表示灯を設け、水位がある位置に達したときは表示灯を点灯するなど、適宜の手段により排水容器４０内の水の状態を検知するようにすればよい。
【００２４】
ところで、除湿機においては、前述のように、蒸発器２２から落下した水を排水容器４０に溜めないで、ホースにより筐体外に排水するようにすることがある。
このような場合は、本実施の形態においては、図７に示すように、排水容器４０の前面パネル４２に設けたホース挿通口４３に装着したカバー体４５を取外し、カバー体収納部４７に収納する。
【００２５】
そして、図４に示すように、排水容器４０を側面開口部１４から引出して、図１０に示すように、ドレンパイプ１０の排水口１１にホース６０の一端を接続して他端を筐体１外に引出し、図９に示すように、排水容器４０のホース挿通口４３をホース６０に嵌合し、排水容器４０をホース６０に沿って側面開口部１４から排水容器収容室１５に収容する。これにより、図１１に示すように、ホース６０は筐体１の側面側において、排水容器４０の前面パネル４２から引出され、屋外に導かれる。
【００２６】
本実施の形態に係る除湿機は、上記のように構成したので、蒸発器２２から落下する水を、排水容器４０に溜めるか、ホース６０により筐体外に排水するかのいずれかを簡単に切換えることができるので、汎用性を高めることができる。また、排水容器４０を引出して排水容器収容室１５の広い空間で、排水容器４０の引出し方向に曲げられたドレンパイプ１０の排水口１１にホース６０を接続するようにしたので、ホース６０の接続作業がきわめて容易である。さらに、筐体１になんら加工することなくホース６０を引出すことができるので、筐体１の意匠性を損なうことがない。
【００２７】
また、排水容器４０の前面パネル４２に設けたホース挿通口４３を、着脱可能なカバー体４５で開閉するようにしたので、ホース６０による排水を中止して排水容器４０に水を溜めるようにした場合は、ホース挿通口４３をカバー体４５により簡単に塞ぐことができるため、外観を容易に元の状態に戻すことができる。また、ダクトパイプ１０にホース６０を接続する場合は、カバー体４５をカバー体収納部４７に収納して保管するようにしたので、カバー体４５を紛失することがない。さらに、管体１の側面開口部１４を排水容器４０の前面パネル４２で塞ぐようにしたので、側面開口部１４を開閉する扉を設ける必要もない。
【００２８】
［実施の形態２］
図１２は本発明の実施の形態２に係る除湿機の排水容器の要部を示す斜視図である。なお、実施の形態１と同じ部分にはこれと同じ符号を付し、説明を省略する。
実施の形態１では、排水容器４０の前面パネル４２に設けたホース挿通口４３をカバー体４５で塞ぎ、ドレンパイプ１０にホース６０を接続する場合は、カバー体４５をホース挿通口４３から外してカバー体収納部４７に収納し、保管する場合を示したが、本実施の形態においては、前面パネル４２からカバー体４５を取外すことなく、ドレンパイプ１０にホース６０を接続するようにしたものである。
【００２９】
本実施の形態は、排水容器４０の前面パネル４２に設けたほぼＵ字状のホース挿通口４３の両側壁の上端部に、ほぼ逆Ω字状の嵌合穴５５ａ，５５ｂを設けると共に、カバー体４５の両壁の上端部近傍に、この嵌合穴５５ａ，５５ｂに嵌合する支持軸５６ａ，５６ｂを設け、この支持軸５６ａ，５６ｂを嵌合穴５５ａ，５５ｂに弾性嵌合して回動自在に支持するようにしたものである。
このように構成したことにより、図１３に示すように、カバー体４５は支持軸５６ａ，５６ｂを軸に前後に自在に回動することができる。
【００３０】
本実施の形態に係る除湿機に排水用のホース６０を設ける場合は、先ず、排水容器４０を筐体１の側面開口部１４から引出し、ホース６０の一端をドレンパイプ１０に接続する。ついで、図１４に示すように、ホース６０の他端により排水容器４０の後面側からホース挿通口４３のカバー体４５を押圧する。これにより、カバー体４５は前面側（外側）に回動するので、ホース６０をホース挿通口４３から引出すことができる。このとき、カバー体４５はホース６０の上面に沿って保持される。そして、排水容器４０を筐体１の側面開口部１４から排水容器収容室１５内に収容し、ホース６０の他端を筐体外に引出す。
ホース６０による排水を中止する場合は、ホース６０を取外せば、カバー体４５は自重により自動的に回動して垂直状態になり、ホース挿通口４３を閉塞する。
【００３１】
本実施の形態においても、実施の形態１の場合とほぼ同様の効果を得ることができるが、さらに、ホース６０を使用する場合、カバー体４５をホース挿通口４３から取外してカバー体収納部４７に収納したり、ホース６０の使用を中止した場合に、カバー体４５をホース挿通口４３に装着したりする必要がないので、作業が簡単である。
【００３２】
［実施の形態３］
図１５は本発明の実施の形態３に係る除湿機の縦断面図である。なお、実施の形態１と同じ部分にはこれと同じ符号を付し、説明を省略する。
実施の形態１では、上部吸込口８ａ及び下部吸込口８ｂからの外気の吸引、蒸発器２２で冷却、脱湿された空気と凝縮器２３で加熱された温風を、１台の送風機２８により風路１３を経て吹出口１２から室内に吹出す場合を示したが、本実施の形態は、蒸発器２２と凝縮器２３に対応してそれぞれ送風機２８ａ，２８ｂを設けたものである。
【００３３】
すなわち、蒸発器２２の下流側に第１の送風機２８ａを設けて隔壁５の下流側に設けたモータ３０ａにより回動駆動し、凝縮器２３の下流側において隔壁５の開口部５ａの下流側に第２の送風機２８ｂを設けて、開口部５ａの近傍に設けたモータ３０ｂにより回転駆動するようにしたものがある。そして、第３の仕切板７ａの隔壁５側を開口して第１の風路１３ａを設けると共に、隔壁５の上部を開口して、第１，第２の風路１３ａ，１３ｂを吹出口１２に連通させるようにしたものである。なお、排水容器４０及びドレンパイプ１０の構造、蒸発器２２から落下した水を筐体外に排出するためのホース６０の接続、引出し等は、実施の形態１又は２の場合と同様である。
本実施の形態においても、本実施の形態１又は２の場合とほぼ同様の効果を得ることができる。
【００３４】
［実施の形態４］
図１６は本発明の実施の形態４に係る除湿機の縦断面図である。なお、実施の形態１〜３と同じ部分にはこれと同じ符号を付し、説明を省略する。
実施の形態１〜３においては、蒸発器２２及び凝縮器２３を筐体１の上下方向に設置し、これに伴って上下の吸込口８ａ，８ｂ、上下のフィルタ９ａ，９ｂをそれぞれ設けた場合を示したが、本実施の形態は、蒸発器２２及び凝縮器２３を筐体１の前後方向に並設し、吸込口８及びフィルタ９をそれぞれ１つにしたものである。
【００３５】
筐体１の前面側上部には１個の吸込口８が設けられており、その下流側にフィルタ９、蒸発器２２、凝縮器２３が順次設置され、凝縮器２３の下流側には前後を区画する隔壁５が設けられている。また、これら蒸発器２２、凝縮器２３等の下部には上下を区画する仕切板４ａが設けられて隔壁５の下端部が接合されており、仕切板４ａの幅方向のほぼ中央部にはドレン口１０ａが設けられている。なお、ドレン口１０ａの下部はＬ字状に形成されて、その排水口１１は排水容器４０の引出し方向（本例では筐体１の一方の側壁側）に開口している。
【００３６】
筐体１の一方の側壁の下部には側面開口部（図示せず）が設けられており、仕切板４ａの下部には排水容器収容室１５が設けられている。なお、仕切板４ａの上面は、ドレン口１０ａに向って傾斜するほぼ漏斗状に形成されている。
また、凝縮器２３の下流側において、隔壁５に設けた開口部５ａの下流側には送風機２８が設置されており、モータ３０により回転駆動される。なお、排水容器４０の構造、蒸発器２２から落下した水を筐体外に排出するためのホース６０の接続、引出し等は、実施の形態１，２の場合と同様である。
【００３７】
上記のように構成した本実施の形態に係る除湿機の作用は、実施の形態１又は２の場合とほぼ同様である。
本実施の形態においても、実施の形態１又は２の場合とほぼ同様の効果を得ることができるが、さらに、蒸発器２２と凝縮器２３を筐体１の前後方向に設置したため装置の高さを低くできるので、除湿機全体を小型化することができる。
【００３８】
［実施の形態５］
実施の形態１〜４においては、筐体１の左右の側壁のいずれか一方に側面開口部１４を設けると共に、ドレンパイプ１０（又はドレン口１０ａ）の排水口１１を、この側面開口部１４側、したがって、排水容器４０の引出し方向に向けて開口させる場合を示したが、本実施の形態は、筐体１の後壁に後面開口部を設け、この後面開口部から排水容器４０を出し入れするようにしたものである。この場合、ドレンパイプ１０（又はドレン口１０ａ）の排水口１１を、後面開口部に向けて開口するようにする。
【００３９】
本実施の形態の作用、効果は、実施の形態１〜４の場合と同様である。なお、ドレンパイプ１０（又はドレン口１０ａ）の下端部にＬ字状の排水管を回動可能に接続すれば、その排水口を任意の方向に志向させることができるので、ホース６０を筐体１の側方から引出す場合、あるいは背面側から引出す場合にも容易に対応することができ、汎用性を高めることができる。
【００４０】
上記の説明では、図示の構造の除湿機に本発明を実施した場合を示したが、これに限定するものではなく、他の構造の除湿機にも本発明を実施することができる。
【図面の簡単な説明】
【００４１】
【図１】本発明の実施の形態１に係る除湿機の縦断面図である。
【図２】図１のＡ−Ａ断面図である。
【図３】図１の冷凍サイクル手段の説明図である。
【図４】筐体から排水容器を引出した状態を示す斜視図である。
【図５】図１の排水容器の斜視図である。
【図６】図５の要部の説明図である。
【図７】図５の要部の説明図である。
【図８】図１の除湿機の作用説明図である。
【図９】図１のドレンパイプにホースを取付ける際の排水容器の要部の説明図である。
【図１０】ドレンパイプにホースを接続した状態を示す説明図である。
【図１１】図１０の背面斜視図及び側面図である。
【図１２】本発明の実施の形態２に係る除湿機の排水容器の要部の説明図である。
【図１３】図１２のカバー体の作用説明図である。
【図１４】実施の形態２の除湿機のドレンパイプにホースを取付ける際の排水容器の要部の説明図である。
【図１５】本発明の実施の形態３に係る除湿機の縦断面図である。
【図１６】本発明の実施の形態４に係る除湿機の縦断面図である。
【図１７】従来の除湿機の排水容器を引出した状態を示す斜視図である。
【図１８】図１７のドレンパイプにホースを接続して筐体外に引出した状態を示す斜視図である。
【図１９】図１８の除湿機の模式的断面図である。
【符号の説明】
【００４２】
１  筐体、４  第１の仕切板、５  隔壁、６  第２の仕切板、８ａ，８ｂ  吸込口、１０  ドレンパイプ、１１  排水口、１２  吹出口、１４  側面開口部、２０  冷凍サイクル手段、２１  圧縮機、２２  蒸発器、２３  凝縮器、２８  送風機、４０  排水容器、４２  前面パネル、４３  ホース挿通口、４５  カバー体、４７  カバー体収納部、５１  蓋体、６０  ホース。
【図１】
0004584850.tif 000002
【図２】
0004584850.tif 000003
【図３】
0004584850.tif 000004
【図４】
0004584850.tif 000005
【図５】
0004584850.tif 000006
【図６】
0004584850.tif 000007
【図７】
0004584850.tif 000008
【図８】
0004584850.tif 000009
【図９】
0004584850.tif 000010
【図１０】
0004584850.tif 000011
【図１１】
0004584850.tif 000012
【図１２】
0004584850.tif 000013
【図１３】
0004584850.tif 000014
【図１４】
0004584850.tif 000015
【図１５】
0004584850.tif 000016
【図１６】
0004584850.tif 000017
【図１７】
0004584850.tif 000018
【図１８】
0004584850.tif 000019
【図１９】
0004584850.tif 000020